【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
第１の端末と、
第２の端末と、
認証サブシステムと、
を備え、
前記第１の端末は、該第１の端末に入力された識別情報及び第１のプッシュ認証要求を認証サブシステムに送信し、
前記認証サブシステムは、前記第１の端末から受信した前記識別情報と、前記第２の端末の固有ＩＤと対応付けて記憶されている識別情報を照合し、前記第１の端末から受信した前記識別情報と一致する識別情報が存在した場合、該識別情報と対応付けられて記憶された前記第２の端末の固有ＩＤに基づいて、前記第２の端末に、プッシュ認証操作開始要求を送信し、
前記第２の端末は、前記プッシュ認証操作開始要求を受信すると、前記プッシュ認証のために、知識認証情報、所有物認証情報、及び生体認証情報の入力を伴わない所定の操作のみをユーザに促し、前記ユーザにより、前記所定の操作が行われると、プッシュ認証操作完了通知を前記認証サブシステムに送信する、
認証システムであって、
前記第１の端末が、該第１の端末に入力された識別情報及び第１のプッシュ認証要求を前記認証サブシステムに送信する前に、
前記第２の端末が、第３のプッシュ認証要求及び前記第２の端末の固有ＩＤを前記認証サブシステムに送信し、
前記認証サブシステムが、前記第２の端末から受信した前記第２の端末の固有ＩＤと、識別情報と対応付けて記憶されている第２の端末の固有ＩＤを照合し、前記第２の端末から受信した前記第２の端末の固有ＩＤと一致する第２の端末の固有ＩＤが存在した場合、プッシュ認証許可フラグを、該第２の端末の固有ＩＤと対応付けられて記憶された前記識別情報と対応付けて記憶し、
前記第１の端末が、該第１の端末に入力された識別情報及び第１のプッシュ認証要求を前記認証サブシステムに送信した後に、
前記認証サブシステムが、前記第１の端末から受信した前記識別情報と、第２の端末の固有ＩＤと対応付けて記憶されている識別情報を照合し、前記第１の端末から受信した前記識別情報と一致する識別情報が存在した場合に、該識別情報に対してプッシュ認証許可フラグが記憶されているか否かをチェックし、
該識別情報に対してプッシュ認証許可フラグが記憶されていなかった場合、前記第２の端末に前記プッシュ認証操作開始要求を送信しないか、又は他の認証失敗処理を行う、
認証システム。
【請求項２】
第１の端末から送信された識別情報及び第１のプッシュ認証要求を受信する手段と、
前記第１の端末から受信した前記識別情報と、第２の端末の固有ＩＤと対応付けて記憶されている識別情報を照合し、前記第１の端末から受信した前記識別情報と一致する識別情報が存在した場合、該識別情報と対応付けられて記憶された前記第２の端末の固有ＩＤに基づいて、前記第２の端末に、プッシュ認証操作開始要求を送信する手段と、
前記プッシュ認証操作開始要求を受信すると、前記プッシュ認証のために、知識認証情報、所有物認証情報、及び生体認証情報の入力を伴わない所定の操作のみをユーザに促す前記第２の端末において、前記ユーザにより、前記所定の操作が行われると、前記第２の端末から送信されるプッシュ認証操作完了通知を受信する手段と、
を含む認証サブシステムであって、
前記第１の端末から送信された識別情報及び第１のプッシュ認証要求を受信する前に、前記第２の端末から送信された第３のプッシュ認証要求及び前記第２の端末の固有ＩＤを受信し、前記第２の端末から受信した前記第２の端末の固有ＩＤと、識別情報と対応付けて記憶されている第２の端末の固有ＩＤを照合し、前記第２の端末から受信した前記第２の端末の固有ＩＤと一致する第２の端末の固有ＩＤが存在した場合、プッシュ認証許可フラグを、該第２の端末の固有ＩＤと対応付けられて記憶された前記識別情報と対応付けて記憶する手段と、
前記第１の端末から送信された識別情報及び第１のプッシュ認証要求を受信した後に、前記第１の端末から受信した前記識別情報と、第２の端末の固有ＩＤと対応付けて記憶されている識別情報を照合し、前記第１の端末から受信した前記識別情報と一致する識別情報が存在した場合に、該識別情報に対してプッシュ認証許可フラグが記憶されているか否かをチェックする手段と、
を更に含み、
該識別情報に対してプッシュ認証許可フラグが記憶されていなかった場合、前記第２の端末に前記プッシュ認証操作開始要求を送信しないか、又は他の認証失敗処理を行う、
認証サブシステム。
【請求項３】
第１の端末が、該第１の端末に入力された識別情報及び第１のプッシュ認証要求を認証サブシステムに送信するステップと、
前記認証サブシステムが、前記第１の端末から受信した前記識別情報と、第２の端末の固有ＩＤと対応付けて記憶されている識別情報を照合し、前記第１の端末から受信した前記識別情報と一致する識別情報が存在した場合、該識別情報と対応付けられて記憶された前記第２の端末の固有ＩＤに基づいて、前記第２の端末に、プッシュ認証操作開始要求を送信するステップと、
前記第２の端末は、前記プッシュ認証操作開始要求を受信すると、前記プッシュ認証のために、知識認証情報、所有物認証情報、及び生体認証情報の入力を伴わない所定の操作のみをユーザに促すステップと、
前記ユーザにより、前記所定の操作が行われると、前記第２の端末が、プッシュ認証操作完了通知を前記認証サブシステムに送信するステップと、
を含む認証方法であって、
前記第１の端末が、該第１の端末に入力された識別情報及び第１のプッシュ認証要求を前記認証サブシステムに送信するステップの前に、
前記第２の端末が、第３のプッシュ認証要求及び前記第２の端末の固有ＩＤを前記認証サブシステムに送信するステップと、
前記認証サブシステムが、前記第２の端末から受信した前記第２の端末の固有ＩＤと、識別情報と対応付けて記憶されている第２の端末の固有ＩＤを照合し、前記第２の端末から受信した前記第２の端末の固有ＩＤと一致する第２の端末の固有ＩＤが存在した場合、プッシュ認証許可フラグを、該第２の端末の固有ＩＤと対応付けられて記憶された前記識別情報と対応付けて記憶するステップと、
前記第１の端末が、該第１の端末に入力された識別情報及び第１のプッシュ認証要求を前記認証サブシステムに送信するステップの後に、
前記認証サブシステムが、前記第１の端末から受信した前記識別情報と、第２の端末の固有ＩＤと対応付けて記憶されている識別情報を照合し、前記第１の端末から受信した前記識別情報と一致する識別情報が存在した場合に、該識別情報に対してプッシュ認証許可フラグが記憶されているか否かをチェックするステップと、
を更に含み、
該識別情報に対してプッシュ認証許可フラグが記憶されていなかった場合、前記認証サブシステムは、前記第２の端末に前記プッシュ認証操作開始要求を送信しないか、又は他の認証失敗処理を行う、
認証方法。
【請求項４】
第１の端末から送信された識別情報及び第１のプッシュ認証要求を受信するステップと、
前記第１の端末から受信した前記識別情報と、第２の端末の固有ＩＤと対応付けて記憶されている識別情報を照合し、前記第１の端末から受信した前記識別情報と一致する識別情報が存在した場合、該識別情報と対応付けられて記憶された前記第２の端末の固有ＩＤに基づいて、前記第２の端末に、プッシュ認証操作開始要求を送信するステップと、
前記プッシュ認証操作開始要求を受信すると、前記プッシュ認証のために、知識認証情報、所有物認証情報、及び生体認証情報の入力を伴わない所定の操作のみをユーザに促す前記第２の端末において、前記ユーザにより、前記所定の操作が行われると、前記第２の端末から送信されるプッシュ認証操作完了通知を受信するステップと、
を含むコンピュータにより実行される認証方法であって、
前記第１の端末から送信された識別情報及び第１のプッシュ認証要求を受信するステップの前に、
前記第２の端末から送信された第３のプッシュ認証要求及び前記第２の端末の固有ＩＤを受信するステップと、
前記第２の端末から受信した前記第２の端末の固有ＩＤと、識別情報と対応付けて記憶されている第２の端末の固有ＩＤを照合し、前記第２の端末から受信した前記第２の端末の固有ＩＤと一致する第２の端末の固有ＩＤが存在した場合、プッシュ認証許可フラグを、該第２の端末の固有ＩＤと対応付けられて記憶された前記識別情報と対応付けて記憶するステップと、
前記第１の端末から送信された識別情報及び第１のプッシュ認証要求を受信するステップの後に、
前記第１の端末から受信した前記識別情報と、第２の端末の固有ＩＤと対応付けて記憶部に記憶されている識別情報を照合し、前記第１の端末から受信した前記識別情報と一致する識別情報が存在した場合に、該識別情報に対してプッシュ認証許可フラグが記憶されているか否かをチェックするステップと、
を更に含み、
該識別情報に対してプッシュ認証許可フラグが記憶されていなかった場合、前記第２の端末に前記プッシュ認証操作開始要求を送信しないか、又は他の認証失敗処理を行う、
認証方法。
【請求項５】
請求項３又は４に記載の認証方法をコンピュータに実行させるためのプログラム。
【請求項６】
請求項５に記載のプログラムを記録したコンピュータ読み取り可能な記録媒体。